(57)【特許請求の範囲】
【請求項１】
表示部と、各種指示を入力する操作部と、表示画像制御手段と、を備え、前記操作部からメニュー画面表示の要求入力があると、前記表示画像制御手段は、複数のメニュー項目画像を含むメニュー画面を表示し、前記複数のメニュー項目のうち特定のメニュー項目が選択され、決定入力かなされると、当該メニュー項目に対応した特定の機能が起動される電子機器において、
前記表示画像制御手段は、前記メニュー画面表示の際に、少なくとも前記各メニュー項目を示すテキスト画像を表示し、または前記テキスト画像とともに当該メニュー項目に応じた顔文字である特殊形状画像を表示し、前記操作部を操作してカーソル画像をメニュー項目に移動させて特定のメニュー項目が選択された際、当該メニュー項目を強調表示するとともに、該メニュー項目に応じた前記特殊形状画像をアニメーション表示することを特徴とする電子機器。
【請求項２】
前記電子機器は携帯電話端末であることを特徴とする請求項１に記載の電子機器。
【請求項３】
表示部と、各種指示を入力する操作部と、表示画像制御手段と、を備え、前記操作部からメニュー画面表示の要求入力があると、前記表示画像制御手段は、複数のメニュー項目画像を含むメニュー画面を表示し、前記複数のメニュー項目のうち特定のメニュー項目が選択され、決定入力かなされると、当該メニュー項目に対応した特定の機能が起動される電子機器におけるメニュー画面表示方法において、
前記表示画像制御手段が、前記メニュー画面表示の際に、少なくとも前記各メニュー項目を示すテキスト画像を表示し、または前記テキスト画像とともに当該メニュー項目に応じた顔文字である特殊形状画像を表示するステップと、前記操作部を操作してカーソル画像をメニュー項目に移動させて特定のメニュー項目が選択された際、当該メニュー項目を強調表示するとともに、該メニュー項目に応じた特殊形状画像をアニメーション表示するステップと、を有することを特徴とするメニュー画面表示方法。
【発明の詳細な説明】
【技術分野】
【０００１】
本発明は、携帯電話などの電子機器の表示手段（ディスプレイ）に表示されるメニュー画面にメニュー項目画像の他に顔文字やアイコン画像のような特殊形状画像を表示するようにした電子機器及びそのメニュー画面表示方法に関するものであり、特に、メニュー項目画像の１つにカーソルが移動され選択可能な状態にされた場合に、当該選択可能にされたメニュー項目に対応した特殊形状画像をアニメーション表示するようにした電子機器及びそのメニュー画面表示方法に関するものである。
【背景技術】
【０００２】
近年の情報処理技術、通信技術の発展に伴い種々の携帯型の情報通信端末装置（以下、携帯端末装置という）が広く普及している。このような携帯端末装置により、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
また、第３世代と称される携帯電話にはＧＰＳ受信機が搭載され、携帯電話自体が位置する現在位置（緯度・経度）を測定することができ、携帯電話を端末装置としたナビゲーションシステムも実用化されている。このような測位システムを利用して、高齢者や児童などの位置確認や、犯罪や火災などの事件、事故における通報時の位置確認などに利用できるシステムも種々検討されている。
【０００５】
更に、利用者は、サービス事業者が提供するブラウザやアプリケーション、ゲームソフトのように携帯電話用として開発された様々なアプリケーションなどを自身が所有する携帯電話にインストールして所望のサービスや機能を追加するためカスタマイズすることができる。
【０００６】
携帯電話は上記のような各種の機能、アプリケーションを利用するため、表示手段にメニュー画面を表示し、利用者によって所望のメニュー項目が選択されると、当該選択されたメニュー項目の機能が起動され、例えば、サブメニュー画面や入力画面等に画面遷移する。利用者は遷移したサブメニュー画面や入力画面を操作して必要な入力を行い選択した機能を利用するように構成されている。
【０００７】
また、携帯電話においては表示画面の大きさに制約があるため、単に文字表示したのではその内容が瞬時に認識できないという問題がある。そこで、幅広い年齢層の利用者が表示内容を容易に理解できるように表示携帯に種々の工夫が凝らされている。例えば、電波の受信状況や電池残量や各種の設定状況など携帯電話の状態をわかり易い図形（アイコン画像）で表示することも広く行われている。
【０００８】
加えて、最近では携帯電話にアミューズメントの要素を加えるため、電子メールなどの通信文書中に、顔文字と称される特殊形状画像を表示することが行われる。このような特殊形状画像は、携帯電話が通信等において扱うことができる文字、特殊記号などを組み合わせて人の顔を表す形状にして文章中に挿入することで、送り手の感情を表現できるようにしたものである。このような顔文書はユーザが作り出して単語登録することもできるが、現在では基本的な顔文字はデフォルトとして予め携帯電話に登録され、携帯電話を購入したユーザが個別に登録操作なしに一定の顔文字を利用できるようされているケースも多い。
【０００９】
例えば、下記の特許文献１（特開２００４−５４４７１号公報）には携帯電話による電子メール通信に顔文字を用いることができる通信端末の発明が開示されている。この通信端末は、顔文字に対応するそれぞれのキャラクタを予め定めてユーザの通信端末の記憶部へ記録しておき、交信に際してはその会話文にある顔文字及びアクション文字からなる絵文字を検出して、記憶部を検索し、それに相当するキャラクタを呼出して表示部へ会話文字と共に表示する手段を備えたものである。
【００１０】
また、電子メールの本文の文章にあわせて顔文字の構成要素を変化させ、文章の感情を顔文字に反映させてアミューズメントの要素を拡大した電子機器も存在する。例えば、下記の特許文献２（特開２００３−８５５８２号公報）にこのような通信システムの発明が開示されている。この特許文献２に開示された通信システムは、端末装置１αおよび通信回線を介してデータを端末装置１αに送信する端末装置１βを有し、端末装置１αには、言葉と動作を指定するための顔文字とが含まれる電子メールを端末装置１βに送信する送信手段が設けられ、端末装置１βには、受信した電子メールに含まれる顔文字が指定する動作を行い電子メールに含まれる言葉に合わせて口を動かす顔アニメーションを生成する動画像生成部が設けられているものである。
【特許文献１】特開２００４−５４４７１号公報
【特許文献２】特開特開２００３−８５５８２号公報
【発明の開示】
【発明が解決しようとする課題】
【００１１】
携帯電話などの電子機器を使用する場合は、多くの場合、初期メニュー画面に表示された種々のメニュー項目（機能項目）の中から所望の機能を選択する。初期画面に表示される機能項目はテキストで表示されたり、アイコン画像と組み合わせられて表示されたりする。携帯電話においては、一般的には初期メニュー画面には９〜１２項目の機能項目が表示され、カーソルを操作して所望の機能項目に移動させ、決定キーを操作してその機能項目の選択を確定する。
【００１２】
この初期メニュー画面においても機能の視認性を向上するために顔文字やアイコン画像のような特殊形状画像を組み合わせた画面を提供できれば、より携帯電話などの電子機器の操作性を改善することができる。例えば、カーソルを所望の機能項目に移動させた時にその機能項目を表すアイコンや顔文字を表示させると、利用者が意図した正しい機能項目にカーソルを移動させたか否かが容易に判別できるようになる。
【００１３】
更に、初期メニュー画面においてアミューズメントの要素を加えれば、楽しく携帯電話を利用することができるようになる。例えば、カーソルを所望の機能項目に移動させた時にその機能項目を表すアイコンや顔文字をアニメーション表示すれば、動きのある画像として機能項目が表現でき、操作性の改善とともにアミューズメント性を加えることができる。
【００１４】
この場合、上記特許文献２に開示されるような通信端末の発明を適用することが考慮されるが、この通信端末においては、受信した電子メールに含まれる顔文字が指定する動作を行い電子メールに含まれる言葉に合わせて口を動かす顔アニメーションを生成する動画像生成部を用いるものであるから、相手端末との通信により電子メールを受信し、メール本文を解析して顔文字のアニメーション表示の態様を制御することが前提である。従って、携帯電話のメニュー画面のようにデータ通信の有無によらず所定の画面表示を行う場合に適用することができず、メニュー画面において特殊形状画像をアニメーション表示することができないという問題点があった。又、上記特許文献２の技術では、受信したメールのデータに基づいて顔アニメーションを生成する動画像生成部を設ける必要があり、設計コストがかかる問題があった。
【００１５】
本発明は上記のような問題点に鑑みてなされたものであり、メニュー画面にメニュー項目画像の他に、顔文字やアイコン画像のような特殊形状画像を組み合わせてアニメーション表示し、メニュー項目の選択操作における視認性、アミューズメント性を向上した電子機器及びそのメニュー画面表示方法を提供することを目的とするものである。
【課題を解決するための手段】
【００１６】
前記課題を解決するために、本願請求項１にかかる発明は、表示部と、各種指示を入力する操作部と、表示画像制御手段と、を備え、前記操作部からメニュー画面表示の要求入力があると、前記表示画像制御手段は、複数のメニュー項目画像を含むメニュー画面を表示し、前記複数のメニュー項目のうち特定のメニュー項目が選択され、決定入力かなされると、当該メニュー項目に対応した特定の機能が起動される電子機器において、前記表示画像制御手段は、前記メニュー画面表示の際に、少なくとも前記各メニュー項目を示すテキスト画像を表示し、または前記テキスト画像とともに当該メニュー項目に応じた顔文字である特殊形状画像を表示し、前記操作部を操作してカーソル画像をメニュー項目に移動させて特定のメニュー項目が選択された際、当該メニュー項目を強調表示するとともに、該メニュー項目に応じた前記特殊形状画像をアニメーション表示することを特徴とする。
【００１９】
また、本願の請求項２にかかる発明は、請求項１にかかる電子機器において、前記電子機器は携帯電話端末であることを特徴とする。
【００２０】
更に、本願の請求項３にかかる発明は、表示部と、各種指示を入力する操作部と、表示画像制御手段と、を備え、前記操作部からメニュー画面表示の要求入力があると、前記表示画像制御手段は、複数のメニュー項目画像を含むメニュー画面を表示し、前記複数のメニュー項目のうち特定のメニュー項目が選択され、決定入力かなされると、当該メニュー項目に対応した特定の機能が起動される電子機器におけるメニュー画面表示方法において、前記表示画像制御手段が、前記メニュー画面表示の際に、少なくとも前記各メニュー項目を示すテキスト画像を表示し、または前記テキスト画像とともに当該メニュー項目に応じた顔文字である特殊形状画像を表示するステップと、前記操作部を操作してカーソル画像をメニュー項目に移動させて特定のメニュー項目が選択された際、当該メニュー項目を強調表示するとともに、該メニュー項目に応じた特殊形状画像をアニメーション表示するステップと、を有することを特徴とする。
【発明の効果】
【００２３】
上記構成により、本発明は下記に述べる優れた効果を奏する。すなわち、請求項１にかかる発明においては、複数のメニュー項目からなるメニュー画面において特定のメニュー項目が選択され、決定入力かなされると、当該メニュー項目に対応した特定の機能が起動される電子機器において、表示画像制御手段は、前記メニュー画面表示の際に、少なくとも前記各メニュー項目を示すテキスト画像を表示し、または前記テキスト画像とともに当該メニュー項目に応じた特殊形状画像を表示し、操作部を操作して特定のメニュー項目が選択された際、当該メニュー項目を強調表示するとともに、該メニュー項目に応じた特殊形状画像をアニメーション表示する。
【００２４】
従って、メニュー画面にメニュー項目画像の他に、顔文字やアイコン画像のような特殊形状画像を組み合わせて表示し、通信していない状態でこの特殊形状画像をアニメーション表示することができ、メニュー項目の選択操作における視認性、アミューズメント性を向上することができるようになる。
【００２５】
請求項２にかかる電子機器の発明によれば請求１に記載の電子機器において、メニュー項目の選択はカーソル画像を当該メニュー項目に移動させて行い、前記特殊形状画像は顔文字であるから、該当するメニュー項目が示す機能を容易に視認することができるようになる。また、表示を観察する際のアミューズメント性を向上することができるようになる。
【００２６】
請求項３にかかる電子機器の発明によれば請求１に記載の電子機器において、メニュー項目の選択はカーソル画像を当該メニュー項目に移動させて行い、前記特殊形状画像はアイコン画像であるから、該当するメニュー項目が示す機能を容易に視認することができるようになる。また、表示を観察する際のアミューズメント性を向上することができるようになる。
【００２７】
請求項４にかかる電子機器の発明によれば、視認性、アミューズメント性に優れたメニュー表示を行うことが可能な携帯電話端末を提供することができる。
【００２８】
請求項５ないし請求項７にかかるメニュー画面表示方法の発明によれば、請求項１ないし請求項３の発明と同様の効果を奏することのできるメニュー画面を表示することができるようになる。
【発明を実施するための最良の形態】
【００２９】
以下、本発明の具体例を実施例及び添付の図面を用いて詳細に説明する。但し、以下に示す実施例は、本発明の技術思想を具体化するための電子機器及びそのメニュー画面表示方法としての携帯電話端末及びそのメニュー画面表示方法を例示するものであって、本発明をこの携帯電話端末及びそのメニュー画面表示方法に特定することを意図するものではなく、特許請求の範囲に含まれるその他の実施形態の電子機器及びそのメニュー画面表示方法にも等しく適用し得るものである。
【実施例】
【００３０】
まず、本実施例における電子機器としての携帯電話端末を、図１及び図２を参照して説明する。なお、図１は携帯電話端末の外観斜視図、図２は図１の携帯電話端末の内部ブロック図である。携帯電話端末１は、ヒンジ部において互いに折り畳み自在に連結された第１及び第２の筐体からなるハウジング１０を備える。ハウジング１０が折り畳まれた際に内側に隠蔽され、ハウジング１０が展開された際に露出する側には、第１の筐体に表示部２０としての液晶ユニットが設けられ、第２の筐体には操作部３０としてのキーが設けられる。
【００３１】
キーは、第２の筐体の下部の領域に設けられた数字及び文字入力キー３１、その上方中央部に設けられたメニュー呼出し兼決定キー３２、メニュー呼出し兼決定キー３２の周囲に設けられた方向指示キー３３、各種機能呼出しキー３４を備える。それぞれのキーは、上記に加えて他の種々の機能を併せもつもので、本実施例においては各キーの代表的な用途のみについて説明するものとする。
【００３２】
携帯電話端末１は、携帯電話端末１の全体の機能を統括、制御するシステム制御部１００、表示部２０の液晶ユニットに表示される画像を編集制御するための表示画像制御手段２００、スピーカ３１１とマイク３１２に接続された音声入出力部３１０、システム制御部１００からの指示に基づいて通話の制御を行う通話送受信部３２０、通話送受信部３２０からの信号を無線信号に変換するとともに無線信号を受信して変換する無線送受信部３６０を含む。上記の構成が、携帯電話端末１において通話を行う際に最低限必要な機能である。
【００３３】
システム制御部１００は、システム全体の動作を統括的に制御するＣＰＵと、ＲＡＭ及びＲＯＭを含み、ＲＯＭ又はＲＡＭに記録された制御プログラムに従って各部の機能を制御するものである。表示画像制御手段２００は、システム制御部１００からの指示に従い、記憶手段２５０から表示部２０に表示すべき背景画像やメニュー画像、又は他の情報を呼出すとともに画像を編集して表示部２０の液晶ユニットに表示できるような画像形式に変換する。なお、この表示画像制御手段２００の動作については後で詳細に説明する。
【００３４】
音声入出力部３１０は、マイク３１２から入力された音声信号を増幅した後にＡ／Ｄ変換して通話送受信部３２０に出力する。また、音声入出力部３１０は、通話送受信部３２０より入力されたディジタル信号をＤ／Ａ変換し、次いでそれを増幅してからスピーカ３１１に出力する。通話送受信部３２０は、音声入出力部３１０より入力されたディジタル信号をコーデック等の回路によって圧縮処理してモデムにより変換し無線送受信部３６０に出力し、無線送受信部３６０において受信した信号をモデムにより変換してコーデック等の回路によって復元して音声入出力部３１０に出力する。
【００３５】
加えて、通話送受信部３２０は、通話の発信、着信を制御する呼制御も行う。無線送受信部３６０は、通話送受信部３２０からの信号を高周波の無線信号に変換してアンテナから送信するとともに、アンテナにおいて受信した高周波の無線信号を変換して通話送受信部３２０に出力する。
【００３６】
携帯電話端末１はさらに、表示画像制御手段２００に接続された記憶手段２５０を備えており、この記憶手段２５０には、表示部２０に表示されるメニュー画面の画像、すなわち複数の機能項目を示すメニュー項目の画像、各メニュー項目に応じてそのメニュー項目の機能を表す特定形状画像等を記憶している。特定形状画像は、例えば顔文字やアイコン画像である。
【００３７】
携帯電話端末１はＴＶ受信部３３０を備え、無線送受信部３６０において受信したＴＶ電波のうち、ユーザの指示に従って特定のチャンネルの電波を復調・増幅し、出力する。システム制御部１００は、受信したＴＶ信号を表示画像制御手段２００に出力し、表示画像制御手段２００は表示部２０に表示できるようなデータ形式に信号を変換する。
【００３８】
携帯電話端末１はインターネット接続部３４０、メール送受信部３５０、ウェブページ閲覧機能３７０を備える。インターネット接続部３５０は、ユーザの指示に基づき無線送受信部３６０を介してプロバイダと接続することによってインターネットに接続するためのものである。メール送受信部３５０は、無線送受信部３６０、インターネット接続部３５０を介して受信されたパケット化されたメールのデータを適切なファイル形式に変換し、システム制御部１００にファイルとメールの受信通知を出力する。
【００３９】
システム制御部１００はメールを受信すると、その旨を、表示画像制御手段２００を介して表示部２０に表示するとともに、メールファイルを保存するか又は表示画像制御手段２００によって表示可能なデータ形式に変換させ、ユーザの指示に従って表示部２０に表示する。ウェブページ閲覧機能３７０は、ウェブブラウザ等のプログラムを備えており、無線送受信部３６０及びインターネット接続部３４０を介してインターネット上のサーバからウェブページのデータを受信し、変換し表示できるようにするものである。
【００４０】
携帯電話端末１はさらに、赤外線通信部４１０、メディア再生部４２０、カメラ機能４３０、外部カード読書部４４０を備える。赤外線通信部４１０は、赤外線電波を送信受信する装置と、送信データを送信可能な信号に変換するとともに受信信号を適切なデータ形式に変換するためのものである。赤外線通信部４１０は、主に携帯電話端末１に記憶された複数のメールのファイルをコンピューに送信して保存させたり、他の携帯電話端末と電話番号やメールアドレス等の送受信を行ったり等、手軽にデータの送受信を行うために使用される。
【００４１】
メディア再生部４２０は、携帯電話端末１に記憶された音楽ファイルや動画ファイル、或いはインターネット接続部３４０を介してインターネット上のサーバから配信される各種のメディアファイルを再生するためのものである。
【００４２】
カメラ機能４３０は、カメラ装置と撮影のためのプログラムを含み、ユーザの指示に基づき撮影を行い、撮影した画像を適切なファイル形式に変換するためのものである。
【００４３】
外部カード読書部４４０は、携帯電話端末１に接続されたＩＣカード等からデータを読取ったり書込んだりするためのものである。
【００４４】
次に、図３を参照して、携帯電話端末１の表示部２０に表示されるメニューについて説明する。なお、図３は、携帯電話端末の表示部に表示されるメニュー画面の例を示す図である。ユーザが操作部３０のメニュー呼出し兼決定キー３２を押すと、表示部２０には図３に示すようなメニュー画面５００が表示される。メニュー画面５００には、携帯電話端末１の各基本機能を示すメニュー項目５１０（Calculation：計算、ＴＶ−ＦＭ：テレビジョン−ＦＭ放送受信など）が表示される。
【００４５】
なお、メニュー画面５００は、図３の表示態様の他、各メニュー項目５１０において、顔文字などの特殊形状画像５１１を併せて表示する表示態様とすることもできる。すなわち、図４に示すように、各メニュー項目５１０に応じて、当該メニュー項目の機能をわかり易く顔文字などを利用して表現した特殊形状画像５１１を表示する。例えば、メニュー項目の「Calculation：計算」に対応して「数字・演算記号、顔文字」で「計算」の機能を表す特殊形状画像を表示する。
【００４６】
利用者が所望のメニュー項目５１０を選択して決定するには、操作部３０のカーソルキー（不図示）を操作して選択したいメニュー項目５１０に表示画面に表示されたカーソル（不図示）を移動させて重ねる。カーソルが所望のメニュー項目５１０に重ねられると、表示画像制御手段２００は、当該メニュー項目５１０を反転表示したり、ハイライト表示したり、点滅表示したりして強調表示し、そのメニュー項目５１０が選択、決定できる状態であることを利用者に視認しやすくする。利用者は強調表示されたメニュー項目５１０を確認し、操作部３０の決定キー（不図示）を操作して当該メニュー項目５１０を決定すると携帯電話端末１において該当する機能が起動される。
【００４７】
また、この時表示画像制御手段２００は、該当するメニュー項目５１０に対応する特殊形状画像（図４の特殊形状画像５１１参照）をアニメーション表示し、更に利用者に選択しているメニュー項目５１０の機能をわかり易くする。このような表示態様を提供すれば、利用者がこの表示画面を視認し、選択しようとしているメニュー項目５１０が意図している項目でないことに気がついたらカーソルを移動して意図したメニュー項目５１０に修正することができるようになる。
【００４８】
以下にこのような強調表示の種々の態様について説明する。図５は、メニュー表示及び選択の際の表示画面の遷移の一例を示す図である。図５は、図３に示すメニュー画面５００が表示され、メニュー項目５１０のうちの「カメラ」にカーソルが移動された状態において表示画面に表示される表示画像の初期状態（図５（ａ））と特殊形状画像がアニメーション表示される状態（図５（ｂ））を模式的に示している。先ず、図５（ａ）に示すようにカーソル移動により選択されたメニュー項目が強調表示され、次いで、図５（ｂ）に示すように特殊形状画像がアニメーション表示される。
【００４９】
図６は、メニュー表示及び選択の際の表示画面の遷移の他の例を示す図である。図６は図４に示すメニュー画面５００が表示された状態において、メニュー項目５１０のうちの「カメラ」にカーソルが移動された状態において表示画面に表示される表示画像の初期状態（図６（ａ））と特殊形状画像がアニメーション表示される状態（図６（ｂ））を模式的に示している。この表示態様の場合も、図５の場合と同様に先ず、図６（ａ）に示すようにカーソル移動により選択されたメニュー項目が強調表示され、次いで、図６（ｂ）に示すように特殊形状画像がアニメーション表示される。
【００５０】
図７は、メニュー表示及び選択の際の表示画面の遷移の更に他の例を示す図である。図７は図３に示すメニュー画面５００が表示された状態において、メニュー項目５１０のうちの「カメラ」にカーソルが移動された状態において表示画面に表示される表示画像の初期状態（図７（ａ））と特殊形状画像がアニメーション表示される状態（図７（ｂ））を模式的に示している。図５と相違する点は、カーソルが位置したメニュー項目５１０「カメラ」に関する事項だけを表示することによって当該メニュー項目である「カメラ」を強調表示している点である。
【００５１】
図８は、メニュー表示及び選択の際の表示画面の遷移の更に他の例を示す図である。図８は図４に示すメニュー画面５００が表示された状態において、メニュー項目５１０のうちの「カメラ」にカーソルが移動された状態において表示画面に表示される表示画像の初期状態（図８（ａ））と特殊形状画像がアニメーション表示される状態（図８（ｂ））を模式的に示している。図６と相違する点は、カーソルが位置したメニュー項目５１０「カメラ」だけを表示することによって当該メニュー項目である「カメラ」を強調表示している点である。
【００５２】
図９は、メニュー表示及び選択の際の表示画面の遷移の更に他の例を示す図である。図９は図３に示すメニュー画面５００が表示された状態において、メニュー項目５１０のうちの「Music  Player」にカーソルが移動された状態において表示画面に表示される表示画像の初期状態（図９（ａ））と特殊形状画像がアニメーション表示される状態（図９（ｂ））を模式的に示している。図８と相違する点は、カーソルが位置したメニュー項目５１０「Music  Player」を反転表示して当該メニュー項目である「Music  Player」を強調表示している点および特殊形状図形を吹き出し形式（反転表示）で表示している点である。
【００５３】
図１０は、メニュー表示及び選択の際の表示画面の遷移の更に他の例を示す図である。図１０は図３に示すメニュー画面５００が表示された状態において、メニュー項目５１０のうちの「Music  Player」にカーソルが移動された状態において表示画面に表示される表示画像の初期状態（図１０（ａ））と特殊形状画像がアニメーション表示される状態（図１０（ｂ））を模式的に示している。図５、図６と相違する点は、カーソルが位置したメニュー項目５１０「Music  Player」に関する事項だけを表示することによって当該メニュー項目である「Music  Player」を強調表示している点および特殊形状図形を吹き出し形式で表示している点である。
【００５４】
このように、カーソルが所望のメニュー項目５１０に重ねられると、表示画像制御手段２００は、当該メニュー項目５１０を強調表示すれば、利用者はそのメニュー項目５１０が選択、決定できる状態にあることを容易に視認することができるようになする。また、この時表示画像制御手段２００は、該当するメニュー項目５１０に対応する特殊形状画像（図４の特殊形状画像５１１参照）をアニメーション表示するので、更に利用者が選択しているメニュー項目５１０の機能がわかり易くなり、またアニメーション表示によりアミューズメント性を向上することができるようになる。
【００５５】
次に、以上説明した本発明にかかるメニューが画面表示方法について図１１に示すフローチャートを参照して説明する。ステップＳ１０１において、システム制御部１００は、操作部３０からメニュー表示要求の入力を待機しており、メニュー表示があるか否かを判別してメニュー表示要求の入力があった場合には続くステップＳ１０２に移行する。なお、メニュー表示要求は、ユーザが携帯電話端末１の操作部３０のメニュー呼出しキー（不図示）を押すことによりなされる。
【００５６】
ステップＳ１０２において、システム制御部１００は表示画像制御手段２００に指示を与えて記憶手段２５０からメニュー画面５００の画像データを呼出して表示部２０に表示可能なデータ形式に変換し、表示部２０に表示する。例えば、メニューが待ち受け画面から初めて表示される際には、メニュー画面５００と、カーソル（不図示）を初期位置（例えば、画面中央）に重ね合わせて表示する。
【００５７】
次いで、ステップＳ１０３において、表示画像制御部２００はカーソルがメニュー項目５１０の何れかの上に移動されたか否かを判別する。カーソル移動がない場合にはステップＳ１０３の判定処理を繰り返す。カーソルの移動があった場合には、ステップＳ１０４の処理に進み、表示画像制御部２００はカーソル移動先のメニュー項目５１０を強調表示する（図５〜図１０参照）。そしてステップＳ１０５の処理に進み、表示画像制御部２００はカーソル移動先のメニュー項目５１０に該当する特殊形状画像（顔文字データ）を記憶手段２５０から読み出してアニメーション表示してステップＳ１０６の処理に進む。
【００５８】
ステップＳ１０６の処理において表示画像制御手段２００は、決定キー（不図示）の操作があるか否かを判定する。決定キーの操作があれば、ステップＳ１０７の処理に進み、システム制御部１００は、カーソルが位置するメニュー項目５１０の選択が決定されたものとしてメニュー項目５１０を確定し、該当する機能を起動する。決定キーの操作がければ、ステップＳ１０３の処理に戻り、カーソルの移動を判別する。
【００５９】
以上説明したように、本発明にかかる電子機器によれば、メニュー画面の表示を行う際に、選択可能なメニュー項目画像を強調表示する他、顔文字やアイコン画像のような特殊形状画像を組み合わせてアニメーション表示するものであるから、利用者は今選択しようとしているメニュー項目が何であるかを容易に識別することができるようになり、操作に不慣れなユーザであっても容易に機器の操作を行うことができるようになる。また、アミューズメント性を向上することができる。
【図面の簡単な説明】
【００６０】
【図１】本発明の実施例における携帯電話端末の外観斜視図である。
【図２】図１の携帯電話端末の内部ブロック図である。
【図３】携帯電話端末の表示部に表示されるメニュー画面の例を示す図である。
【図４】携帯電話端末の表示部に表示されるメニュー画面の他の例を示す図である。
【図５】メニュー表示及び選択の際の表示画面の遷移の一例を示す図であり、図５（ａ）は表示画像の初期状態を示し、図５（ｂ）は特殊形状画像がアニメーション表示される状態を示す。
【図６】メニュー表示及び選択の際の表示画面の遷移の他の一例を示す図であり、図６（ａ）は表示画像の初期状態を示し、図６（ｂ）は特殊形状画像がアニメーション表示される状態を示す。
【図７】メニュー表示及び選択の際の表示画面の遷移の他の一例を示す図であり、図７（ａ）は表示画像の初期状態を示し、図７（ｂ）は特殊形状画像がアニメーション表示される状態を示す。
【図８】メニュー表示及び選択の際の表示画面の遷移の他の一例を示す図であり、図８（ａ）は表示画像の初期状態を示し、図８（ｂ）は特殊形状画像がアニメーション表示される状態を示す。
【図９】メニュー表示及び選択の際の表示画面の遷移の他の一例を示す図であり、図９（ａ）は表示画像の初期状態を示し、図９（ｂ）は特殊形状画像がアニメーション表示される状態を示す。
【図１０】メニュー表示及び選択の際の表示画面の遷移の他の一例を示す図であり、図１０（ａ）は表示画像の初期状態を示し、図１０（ｂ）は特殊形状画像がアニメーション表示される状態を示す。
【図１１】メニュー表示、選択の際の動作手順を示すフローチャートである。
【符号の説明】
【００６１】
２０      表示部
３０      操作部
２００    表示画像制御部
２５０    記憶手段
１００    システム制御部
５００      メニュー画面
５１０      メニュー項目
５１１      特殊形状画像
【図１】
0004986741.tif 000002
【図２】
0004986741.tif 000003
【図３】
0004986741.tif 000004
【図４】
0004986741.tif 000005
【図５】
0004986741.tif 000006
【図６】
0004986741.tif 000007
【図７】
0004986741.tif 000008
【図８】
0004986741.tif 000009
【図９】
0004986741.tif 000010
【図１０】
0004986741.tif 000011
【図１１】
0004986741.tif 000012